(57)【要約】２０ｋＨｚより下又は１００ｋＨｚより上に広がらない特定周波数範囲応答内の平坦な周波数応答を含むダイレクトストリームデジタル（ＤＳＤ）オーディオ信号に埋め込まれる堅牢なウォーターマークである。従って、ウォーターマークはリスナーには聞こえないようにＤＳＤ信号のノイズスペクトラムに隠される。ノイズスペクトラムはＤＳＤ信号にシャープな過渡及び正確なインパルス応答を提供するのを助ける重要な情報を含むので、ウォーターマークは信号のオーディオ品質に重大な劣化を引き起こすことなくＤＳＤ信号から除去されることができない。
2005502920.tif 000002
【特許請求の範囲】
【請求項１】
ウォーターマークが挿入された信号を作製するためにウォーターマークをダイレクトストリームデジタル（ＤＳＤ）信号に挿入するステップであって、前記挿入されたウォーターマークは前記ウォーターマークが挿入された信号の周波数範囲に亘って広がっているステップを有する方法。
【請求項２】
前記周波数範囲は実質的に２０ｋＨｚより下に広がらない請求項１に記載の方法。
【請求項３】
前記周波数範囲は実質的に１００ｋＨｚより上に広がらない請求項１に記載の方法。
【請求項４】
前記周波数範囲は、実質的に２０ｋＨｚより下に広がらず、実質的に１００ｋＨｚより上に広がらない請求項１に記載の方法。
【請求項５】
前記挿入するステップはスペクトラム拡散ウォーターマーキングプロセスを使用して実行される請求項１に記載の方法。
【請求項６】
前記挿入するステップの前に、ソフトウォーターマークデータに対応するビットで前記ＤＳＤ信号の選択されたビットを置換することによってソフトウォーターマークが前記ＤＳＤ信号に挿入される請求項１に記載の方法。
【請求項７】
ウォーターマークが挿入された信号を作製するためにウォーターマークをアナログ信号に挿入するステップであって、前記挿入されたウォーターマークは前記ウォーターマークが挿入された信号の周波数範囲に亘って広がっているステップと、
前記ウォーターマークが挿入された信号をダイレクトストリームデジタル（ＤＳＤ）信号に変換するステップと、
を有する方法。
【請求項８】
埋め込まれたウォーターマークを含むダイレクトストリームデジタル（ＤＳＤ）信号であって、前記埋め込まれたウォーターマークは前記ＤＳＤ信号の周波数範囲に亘って広がっている信号。
【請求項９】
請求項８に記載のＤＳＤ信号が記憶されたデータ記憶媒体。
【請求項１０】
入力信号をダイレクトストリームデジタル（ＤＳＤ）信号に変換するための変調器と、
ウォーターマークを前記ＤＳＤ信号に埋め込んでウォーターマークが挿入された信号を出力するためのウォーターマーク埋め込み装置であって、前記ウォーターマークは前記ウォーターマークが挿入された信号の周波数範囲に亘って広がっているウォーターマーク埋め込み装置と、
前記ウォーターマークが挿入された信号を記憶媒体に記録するためのレコーダと、
を有する記録装置。
【請求項１１】
前記ウォーターマーク埋め込み装置はスペクトラム拡散ウォーターマーキング（ＳＳＷ）技術を利用し、
前記ウォーターマーク埋め込み装置は、
疑似ノイズを生成するための疑似ノイズ生成器と、
変調されたウォーターマーク信号を生成するために前記疑似ノイズで前記ウォーターマークを変調するための変調器と、
前記変調されたウォーターマーク信号をスケール変更するための増幅器と、
前記ＤＳＤ信号を前記スケール変更された変調されたウォーターマーク信号と組み合わせるための追加素子と、
を更に有する請求項１０に記載の記録装置。
【請求項１２】
ウォーターマークをアナログ信号に埋め込んでウォーターマークが挿入された信号を出力するためのウォーターマーク埋め込み装置であって、前記ウォーターマークは前記ウォーターマークが挿入された信号の周波数範囲に亘って広がっているウォーターマーク埋め込み装置と、
前記ウォーターマークが挿入された信号をダイレクトストリームデジタル（ＤＳＤ）信号に変換するための変調器と、
記憶媒体に前記ＤＳＤ信号を記録するためのレコーダと、
を有する記録装置。
【発明の詳細な説明】
【０００１】
【発明の属する技術分野】
本発明は一般には知的財産権の保護に関し、より詳細には、ダイレクトストリームデジタル（ＤＳＤ）信号にエンコードされる堅牢なウォーターマークに関する。
【０００２】
【従来の技術】
コンパクトディスク（ＣＤ）が初めて開発されたとき、パルス符号変調（ＰＣＭ）が、ディスクに記録されるべきデジタルオーディオ信号をエンコードする利用可能な最高の技術であった。標準のＣＤ形式は、１６ビットの解像度及び４４．１ｋＨｚのサンプリング周波数を有する。
【０００３】
専門の記録技術における進歩の結果として、標準のＣＤ形式の解像度及びサンプリング速度は、種々のデジタルスタジオで行われている記録のオーディオ品質を保存するのに最早十分ではなくなっている。
【０００４】
図１Ａは、標準のＣＤ信号の典型的なオーディオスペクトラムを示す。この図に示すように、標準のＣＤの信号帯域は、２０ｋＨｚの後に強く減衰する。
【０００５】
スーパーオーディオコンパクトディスクは高解像度オーディオＣＤ形式であり、オーディオ信号を記録するのにＰＣＭの代わりにダイレクトストリームデジタル（ＤＳＤ（ｒ））を利用する。ＤＳＤ記録形式は、２．８２２４ＭＨｚのサンプリングレートでシグマ−デルタアナログデジタル（Ａ／Ｄ）コンバータから出力された１ビット信号を直接記録する。ＤＳＤにおいて使用されるシグマ−デルタＡ／Ｄコンバータは、オーディオ帯域外にノイズを効果的に移動させるための、即ち、２０ｋＨｚを大きく上回る不可聴領域に移動するための、ノイズシェーピングフィルタを含む。
【０００６】
ＤＳＤは、ＰＣＭにおいて使用されるデシメーションプロセス及び補間プロセスから起こり得る信号品質の劣化を防止する。ＤＳＤ記録は、１００ｋＨｚに広げられた改良された周波数応答を有する。加えて、５次（又はそれより高い）ノイズシェーピングフィルタがシグマ−デルタＡ／Ｄコンバータに含まれると、ＤＳＤ周波数応答は１２０デシベルのダイナミックレンジを有する。図１Ｂは、ＤＳＤ信号のオーディオスペクトラムを示す。
【０００７】
一般に人間の耳には２０ｋＨｚを超えると明白なトーンは聞こえないが、より高い周波数は過渡特性（即ち音声が開始して停止する態様）のオーディオ情報を含み、これは人間の脳によって知覚され、音楽により「自然な」感覚を提供する。ＤＳＤ技術は、この高周波帯域（即ちノイズスペクトラム）の情報を保存することによってより正確なインパルス応答及びシャープな過渡を提供し、このことは、標準のＣＤ記録よりも優れたＤＳＤ記録のオーディオ品質の重要な理由である。
【０００８】
オーディオ品質と共に、デジタル記録技術に関して考慮されなければならない重要な他の問題は、記録されたコンテンツの違法な複製及び配信からの保護である。デジタル的に記録された知的財産権（ＩＰ）を保護するための１つの機構は、エンコードされたウォーターマークである。
【０００９】
ウォーターマークはデジタルコンテンツに埋め込まれた識別データを有し、これはコンテンツの所有権及び意図された受取人を特定することができ、コンテンツの使用（例えば複製及び配信）への規制を実施するのを助けることができる。ウォーターマークは、デジタルコンテンツの違法なコピーを識別すること、及び、コンテンツの違法な変化を検出することに用いられてもよい。
【００１０】
一部のウォーターマークは、デジタルＩＰの不法な複製及び配信を防止する試みとして用いられる。例えば、特定の種類のＣＤレコーダは、記録されるべきコンテンツ内のウォーターマークについて確認する特別な複製防止機構を含んでもよい。複製が許可されないこと又はコンテンツが不法に得られたことを示すウォーターマークが検出される場合、前記機構は装置の記録動作ができないようにする。
【００１１】
あるいは、ウォーターマークの目的は、権利所有者が侵害者から法的補償を求めることを可能にするために、コンテンツの違法な複製及び配信を識別することであってもよい。
【００１２】
【発明が解決しようとする課題】
ウォーターマークは一般に、ウォーターマーク自身のオリジナルの形でコンテンツから抽出されることができるように、特定の統計的特性を満たすデジタルコンテンツにエンコードされる、信号を有する。しかし、このような信号の追加は、通常デジタル的に記録されたオーディオ信号の音響品質にいくらかの劣化を引き起こす。その存在によってオーディオ記録の音響品質にいかなる知覚可能な劣化も生じないウォーターマークを提供することは、有利である。
【００１３】
更に、堅牢なウォーターマーク、即ち、それが埋め込まれるオーディオ信号の品質に高度に影響を及ぼすことなく除去又は修正することが困難なウォーターマークを提供することは、有利である。従って、ウォーターマークはオーディオ信号の知覚的に重要な成分（例えば周波数帯）に配置されなければならない。
【００１４】
【課題を解決するための手段】
本発明はＤＳＤ形式で記録されるオーディオ信号のための堅牢なウォーターマークであって、オーディオ品質の重大な劣化を生じさせないウォーターマークを提供する。
【００１５】
本発明の典型的な実施例は、２０ｋＨｚより上の特定周波数範囲において平坦な周波数スペクトラムを有するようにＤＳＤオーディオ信号に埋め込まれる堅牢なウォーターマークを目的とする。ウォーターマークの周波数応答は、２０ｋＨｚより下の周波数の帯域では実質的にゼロである。
【００１６】
本発明の他の実施例において、ウォーターマークの特定周波数範囲は、１００ｋＨｚより上に広がらない。
【００１７】
本発明の他の実施例において、ＤＳＤオーディオ信号に堅牢なウォーターマークをエンコードするのにスペクトラム拡散ウォーターマークが用いられる。
【００１８】
本発明の他の実施例において、ウォーターマークは知覚的により重要な周波数帯に配置され、該ウォーターマークの除去によりオーディオ品質の重大な劣化が起こるように、堅牢なウォーターマークの特定周波数範囲は低く選択される。
【００１９】
本発明の他の実施例において、ウォーターマークの存在下で生じるオーディオ信号の劣化が低くなるように、堅牢なウォーターマークの特定周波数範囲は高くなるように選択される。
【００２０】
本発明の利点は、この後提供される詳細な説明からより明白になるだろう。しかし、詳細な説明及び特定の例は本発明の好適な実施例を示すが、この詳細な説明から本発明の精神及び範囲内の種々の変更及び変形例は当業者には明らかになるため、例示としてのみ与えられると理解されるべきである。
【００２１】
【発明の実施の形態】
本発明は、以下の詳細な説明及び添付の図名からより完全に理解され、これらは説明の目的で与えられるのみであり、従って、本発明を制限するものではない。
【００２２】
本発明は、好適には２０ｋＨｚを下回らず、１００ｋＨｚを上回らない、ＤＳＤオーディオ信号の特定の周波数帯にエンコードされるウォーターマークを提供する。人間の耳は２０ｋＨｚを上回る高調波を通常知覚しないので、ウォーターマークは記録の音響品質を有意な量では低下させない。しかし、記録された信号を２０ｋＨｚより上でローパスフィルタをかけることによってこのウォーターマークを除去しようとする個人によるいかなる努力も重大な劣化を起こし、ＤＳＤ記録の音響品質は標準のＣＤ記録も同然になる。
【００２３】
図２Ａは、オーディオ信号のＤＳＤ信号へのエンコーディングの前にアナログウォーターマーク信号がアナログオーディオ信号に埋め込まれる１つの実施例によるＤＳＤ信号記録装置１００のブロック図である。図２Ａの記録装置において、アナログオーディオ信号及びアナログウォーターマーク信号がウォーターマーク埋め込み装置２０に入力される。ウォーターマーク埋め込み装置２０の出力は、シグマ−デルタ変調器４０に接続される。シグマ−デルタ変調器４０の出力は、ＤＳＤ信号レコーダ５０に送信される。
【００２４】
図２ＡのＤＳＤ信号記録装置１００の動作は、次の通りである。ウォーターマーク埋め込み装置２０は、ウォーターマーク信号をオーディオ信号に特定周波数範囲で挿入する。１つの実施例によれば、この範囲は、下方周波数限界が約２０ｋＨｚを下回らず、上方周波数限界が約１００ｋＨｚを上回らないように選択される。しかし、別の実施例によれば、周波数範囲の下限は、音響品質を犠牲にしてより堅牢なウォーターマークを得るために２０ｋＨｚを下回るように設定されてもよい。典型的なウォーターマーク埋め込み装置２０のより詳細な説明は、図３と関連して以下に与えられる。
【００２５】
ウォーターマーク埋め込み装置２０から出力された、ウォーターマークが挿入された信号は、シグマ−デルタ変調器４０に送信され、該変調器４０は前記ウォーターマークが挿入された信号を１ビットＤＳＤ符号化信号に量子化する。シグマ−デルタ変調器４０は、ＤＳＤ符号化ビットストリームを蓄積するのに負のフィードバックループを用いる。蓄積された信号は、５次ノイズシェーピングフィルタに送信される。このフィルタ４２の出力は、量子化器４４によって「１」又は「０」に量子化される。量子化器４４の１ビット出力は、１サンプル遅延ユニット４６及びデジタル／アナログ信号変換器４８を介して戻される。シグマ−デルタ変調器のビットストリーム出力は、ＤＳＤ信号記録装置５０によって例えばＳＡＣＤディスクに記録される。
【００２６】
代替実施例によれば、記録装置１００はウォーターマークを挿入する前に最初にＤＳＤ信号にアナログオーディオ信号をエンコードしてもよい。図２Ｂは、この代替実施例によるＤＳＤ信号記録装置のブロック図である。
【００２７】
図２Ｂにおいて、アナログオーディオ信号はシグマ−デルタ変調器４０に挿入される。シグマ−デルタ変調器４０から出力されるＤＳＤ符号化信号は、その出力がＤＳＤ信号レコーダ５０に接続されるウォーターマーク埋め込み装置２０に入力される。図２Ｂの記録装置においてウォーターマークは、実質的に２０ｋＨｚを下回らず１００ｋＨｚを上回らないＤＳＤオーディオ信号の特定の周波数帯にエンコードされるビットパターンを有する。
【００２８】
１つの実施例によれば、ウォーターマークは、スペクトラム拡散ウォーターマーキング（Ｓｐｒｅａｄ Ｓｐｅｃｔｒｕｍ Ｗａｔｅｒｍａｒｋｉｎｇ， ＳＳＷ）と呼ばれるプロセスを通じてＤＳＤ信号に挿入される。このプロセスは、スペクトラム拡散ワイヤレス通信に類似しており、 ここで、狭帯域信号はいかなる単一周波数のエネルギーも検知されないように、遥かに大きい帯域幅を通じて伝送される。ＳＳＷプロセスは、ウォーターマーク信号をデジタルコンテンツの知覚的に重要な広い周波数帯に広げる。
【００２９】
ウォーターマークをオーディオ信号に適用するとき、ＳＳＷプロセスはウォーターマークを信号の全体的な音響品質に寄与する周波数成分に広げる。ウォーターマークは、必要であるよりも遥かに広い周波数帯全体に隠されるので、該ウォーターマークを除去することを望む個人によって実質的に検知されないコンテンツ中の比較的弱いノイズという形をとる。従って、ウォーターマークが除去可能な唯一の手段は、オーディオ信号の重要な周波数成分をフィルタ除去することによるものであり、これは、音響品質に目立った劣化を引き起こす。従って、ＳＳＷプロセスのウォーターマークは、非常に堅牢になることができる。
【００３０】
スペクトラム拡散ウォーターマーキングにおいて、ウォーターマーク信号は、ウォーターマークのための所与の周波数範囲内の周波数サブバンドの選択された組を使用してオーディオ信号に挿入される。ウォーターマークの周波数サブバンドは、周波数ホッピングとして知られている方式を用いて毎秒何度も急に変化する。この方式において、ウォーターマーク信号は、生成された疑似ノイズ信号によって変調されてもよく、次に、比較的低い出力レベルに拡大・縮小されてもよい。
【００３１】
各時点のウォーターマークの周波数サブバンドは擬似ランダム的に決定されるので、これは周波数領域に弱いノイズとして現れる。しかし、ウォーターマーク確認プロセスは、ウォーターマークが埋め込まれている全ての周波数サブバンドを知っており、このため、これらの比較的弱い信号を高い信号対雑音比（ＳＮＲ）を有する単一の信号に統合することが可能である。このとき、統合された信号は、その内容を調べることによって確認されることができる。
【００３２】
図３は、ＳＳＷプロセスを使用してオーディオ信号に堅牢なウォーターマークを埋め込むウォーターマーク埋め込み装置２０を示す。変調器２４は、疑似ノイズ生成器２２によって生成される疑似ノイズ信号によりウォーターマークを変調させる。本発明の典型的な実施例によれば、疑似ノイズ信号は、ウォーターマークを実質的に２０ｋＨｚを下回らず１００ｋＨｚを上回らない特定周波数範囲に広げるように生成される。変調されたウォーターマーク信号は、該信号が適当なレベルに拡大・縮小される増幅器２６を通過する。次に信号は追加素子２８を使用して入力されたオーディオ信号と組み合わせられ、ウォーターマークが挿入されたオーディオ信号を生じる。
【００３３】
図３のウォーターマーク埋め込み装置２０が図２Ａの記録装置と関連して用いられたら、入力オーディオ信号及びウォーターマーク信号はアナログ信号を有する。あるいは、図３のウォーターマーク埋め込み装置２０が図２Ｂの記録装置と連動して使用される場合、入力オーディオ信号はＤＳＤ符号化信号を有し、ウォーターマークはデジタルビットパターンを有する。
【００３４】
サブバンド分解ウォーターマーキング技術を含むその他のＳＳＷ方法がウォーターマークをＤＳＤ信号に挿入するために用いられてもよいことに注意すべきである。加えて、本発明はスペクトラム拡散ウォーターマーキングプロセスをオーディオ信号にウォーターマークを挿入するために用いることに決して制限されない。当業者によって考えられるように、ウォーターマークをＤＳＤオーディオ信号の特定周波数範囲にエンコードするための他の方法もまた用いられてもよい。
【００３５】
本発明の典型的な実施例によれば、ウォーターマークがＤＳＤ信号に埋め込まれる特定周波数範囲は、幾分低く選択される。例えば、前記周波数範囲は約２０〜３０ｋＨｚに構成されてもよい。図４Ａは、このような周波数範囲でのウォーターマークの周波数スペクトラムを示す。ローパスフィルタリングによってこのウォーターマークを除去するいかなる試みも、ＤＳＤ信号のオーディオ品質の顕著な劣化を生じる。これは、ローパスフィルタリングが２０ｋＨｚを上回る周波数成分でオーディオ信号から全ての過渡情報を除去するためである。また、オーディオ信号に２０ｋＨｚの遮断周波数でローパスフィルタをかけることは更に、リスナーによって知覚され得る高調波のブロッキングを生じ得る。
【００３６】
上記したように、２０ｋＨｚを上回る全ての信号がローパスフィルタリングによってＤＳＤ記録から除去される場合、結果として生じる信号の音響品質は標準のＣＤ記録も同然になる。従って、ウォーターマークを違法に除去して、ＳＡＣＤディスク記録の複製を作製することは、これらの複製はＳＡＣＤの品質基準に適合しないため、努力の価値がない。
【００３７】
この実施例は周波数範囲が約２０〜３０ｋＨｚであるデジタルウォーターマークに関して説明されたが、この範囲は、任意のより低い周波数範囲を有するデジタルウォーターマークが除去されたらＤＳＤオーディオ信号の大幅に大きい劣化を生じるという一般的な原理の例示に過ぎないことに注意されたい。
【００３８】
しかし、ウォーターマーク用に低周波数域を選択することには欠点がある。具体的には、ＤＳＤ信号中にこのようなウォーターマークが存在するだけで、音響品質にいくらかの劣化を引き起こす。ＳＳＷプロセスに関する上記の議論において、ウォーターマークがオーディオ信号のノイズという形をとることに注意されたい。このようなノイズはその周波数範囲が少しだけ２０ｋＨｚを超える場合であっても、オーディオ品質に影響を及ぼしかねない。
【００３９】
本発明の典型的な他の実施例によれば、ウォーターマークの周波数範囲は、ＤＳＤ信号に悪影響を与えないように高い周波数範囲に選択される。図４Ｂは、周波数範囲が約９０〜１００ｋＨｚにあるウォーターマークの例を示す。１００ｋＨｚにより近い周波数成分の過渡情報は容易にはリスナーによって知覚されないので、この周波数範囲に挿入されるウォーターマークによって生じる劣化は全く重要でない。
【００４０】
従って、図４Ｂの例はこの実施例の一般の原理を図示するものである。即ち、ＤＳＤ信号のより高い周波数範囲に挿入されるウォーターマークは音響品質により少ない劣化を引き起こす。しかし、高周波数のウォーターマークを使用することは、高周波数のウォーターマークはより高い遮断周波数でＤＳＤ信号にローパスフィルタをかけることによって除去可能であり、信号により少ない劣化を生じさせるという欠点は確かに有する。本発明の他の実施例によれば、上記の実施例について述べたように、堅牢なウォーターマークは、ソフトウォーターマークも含むＤＳＤオーディオ信号に埋め込まれてもよい。
【００４１】
ソフトウォーターマーキングの概念は、米国特許第６，１５７，３３０号に説明されており、この主題はここに参照として組み込まれる。ソフトウォーターマークは、出力ビットストリームの選択されたビットをウォーターマークパターンのビットで置換することによってＤＳＤ信号に挿入されてもよい。
【００４２】
例えば、図５に示されるシグマ−デルタ変調器４０は、ＤＳＤ信号にソフトウォーターマークを挿入するために用いられてもよい。このシグマ−デルタ変調器４０は、量子化器４４から出力されるビットを受信するためのビット修正回路４５を含む。量子化器４４の機能は、５次ノイズシェーピングフィルタの出力を「１」及び「０」に量子化することである。ビット修正回路４５は、量子化器４４から出力された選択されたビット（例えば１００ビットごと）をソフトウォーターマークのビットパターンに対応するビットで置換するように構成されてもよい。
【００４３】
あるいは、ソフトウォーターマークデータは、連続した反転ビット間のビット周期の数によって表されてもよい。従って、ビット修正回路４５は量子化されたビットストリームの選択されたビットを反転するように構成されてもよい。
【００４４】
ソフトウォーターマークの挿入は、量子化ノイズの１ｄＢの増加しか生じさせず、これはＤＳＤ信号の１２０ｄＢのダイナミックレンジにおいて可聴でない。ソフトウォーターマークはオーディオ品質を有意な量で低下させない一方で、これらソフトウォーターマークはほとんどいかなる種類の信号処理によっても容易にＤＳＤ信号から除去される。従って、ソフトウォーターマークは、堅牢であるとみなされない。しかし、ＤＳＤ記録におけるソフトウォーターマークの欠如はオーディオ信号が複製であることを示すため、このようなウォーターマークは依然として役立つ可能性がある。
【００４５】
従って、ソフトウォーターマークはＤＳＤ信号に埋め込まれる堅牢なウォーターマークと共に用いられてもよい。確認プロセスは、ソフトウォーターマークがＤＳＤコンテンツから失われているかどうか、即ち、コンテンツが複製されたかどうかを決定するために用いてもよい。もしそうならば、堅牢なウォーターマークは、法的な補償がなされることができるように、コンテンツの所有者又は権利保有者を識別するために用いてもよい。
【００４６】
上記の実施例は、実質的に２０ｋＨｚより下に広がらない又は実質的に１００ｋＨｚより上に広がらないＤＳＤ信号の周波数範囲に埋め込まれるウォーターマークに関して説明された。しかし、本発明の精神と範囲から逸脱せずに、ウォーターマークは２０ｋＨｚより下に広がる又は１００ｋＨｚより上に広がる周波数範囲に挿入されてもよい。例えば、ウォーターマークは、リスナーに可聴でないような短く頻度の少ない間隔で２０ｋＨｚを大きく下回るオーディオ信号の周波数成分に挿入されてもよい。
【００４７】
本発明の実施の形態が図面に基づいて説明された。当業者に明らかであるように、本発明の種々の変形例が、請求項の趣旨及び範囲から逸脱することなく前述の開示の観点から作製可能である。
【図面の簡単な説明】
【図１Ａ】標準のＣＤ信号の典型的なオーディオスペクトラムを示す。
【図１Ｂ】ＤＳＤ信号のオーディオ及びノイズスペクトラムを示す。
【図２Ａ】オーディオ信号のＤＳＤ信号へのエンコーディングの前にアナログウォーターマーク信号がアナログオーディオ信号に埋め込まれる１つの実施例によるＤＳＤ信号記録装置のブロック図である。
【図２Ｂ】ウォーターマーク信号がＤＳＤエンコードされたオーディオ信号に埋め込まれる１つの実施例によるＤＳＤ信号記録装置のブロック図である。
【図３】オーディオ信号に堅牢なウォーターマークを埋め込むのにＳＳＷ技術が用いられる１つの実施例を示しているウォーターマーク埋め込み装置のブロック図である。
【図４Ａ】周波数帯がより高い堅牢性のために選択される堅牢なウォーターマークのスペクトラムを示す。
【図４Ｂ】周波数帯が音響品質のより低い劣化のために選択される堅牢なウォーターマークのスペクトラムを示す。
【図５】ソフトウォーターマークがＤＳＤ信号に挿入される１つの実施例によるシグマ−デルタ変調器を示す。
【図１Ａ】
2005502920.tif 000003
【図１Ｂ】
2005502920.tif 000004
【図２Ａ】
2005502920.tif 000005
【図２Ｂ】
2005502920.tif 000006
【図３】
2005502920.tif 000007
【図４Ａ】
2005502920.tif 000008
【図４Ｂ】
2005502920.tif 000009
【図５】
2005502920.tif 000010
【国際公開パンフレット】
2005502920.tif 000011
2005502920.tif 000012
2005502920.tif 000013
2005502920.tif 000014
2005502920.tif 000015
2005502920.tif 000016
2005502920.tif 000017
2005502920.tif 000018
2005502920.tif 000019
2005502920.tif 000020
2005502920.tif 000021
2005502920.tif 000022
2005502920.tif 000023
2005502920.tif 000024
2005502920.tif 000025
2005502920.tif 000026
2005502920.tif 000027
2005502920.tif 000028
【国際調査報告】
2005502920.tif 000029
2005502920.tif 000030
2005502920.tif 000031